(57)【要約】      （修正有）【課題】細かい箇所を塗装するのに適した塗装用ローラハンドルを提供する。【解決手段】塗装用ローラハンドルは、取手部２０と前記取手部２０に固定されている支持部とを備えている。前記支持部は、第１支持部１１、第２支持部１２、第３支持部１３および第４支持部１４を有している。前記第１支持部１１が前記第２支持部１２と接続され、前記第２支持部１２が前記第３支持部１３と接続され、前記第３支持部１３が前記第４支持部１４と接続され、前記第４支持部１４が前記取手部２０に接続され、前記取手部２０の長手方向における前記支持部の長さは、前記取手部２０の長手方向の長さより短い。【選択図】図２
0003194800.tif 000002
【実用新案登録請求の範囲】
【請求項１】
取手部と前記取手部に固定されている支持部とを備えた塗装用ローラハンドルであって、
前記支持部が、第１支持部、第２支持部、第３支持部および第４支持部を有し、
前記第１支持部が前記第２支持部と接続され、
前記第２支持部が前記第３支持部と接続され、
前記第３支持部が前記第４支持部と接続され、
前記第４支持部が前記取手部に接続され、
前記取手部の長手方向における前記支持部の長さは、前記取手部の長手方向の長さより短い、塗装用ローラハンドル。
【請求項２】
取手部と前記取手部に固定されている支持部とを備えた塗装用ローラハンドルであって、
前記支持部が、第１支持部、第２支持部、第３支持部および第４支持部を有し、
前記第１支持部が前記第２支持部と接続され、
前記第２支持部が前記第３支持部と接続され、
前記第３支持部が前記第４支持部と接続され、
前記第４支持部が前記取手部に接続され、
前記取手部の長手方向の長さが、作業者が片手で握れる長さであり、
前記第１支持部の前記長手方向の長さが、約６〜１１センチメートルである、塗装用ローラハンドル。
【請求項３】
取手部と前記取手部に固定されている支持部とを備えた塗装用ローラハンドルであって、
前記支持部が、第１支持部、第２支持部、第３支持部および第４支持部を有し、
前記第１支持部が前記第２支持部と接続され、
前記第２支持部が前記第３支持部と接続され、
前記第３支持部が前記第４支持部と接続され、
前記第４支持部が前記取手部に接続され、
前記取手部の長手方向の長さが、約８〜１２センチメートであり、
前記第１支持部の前記長手方向の長さが、約６〜１１センチメートルである、塗装用ローラハンドル。
【請求項４】
前記第１支持部の長さが前記第３支持部の長さより長く、
前記第３支持部の長さが前記第２支持部の長さより長く、
前記第２支持部の長さが前記第４支持部の長さより長い、請求項１〜３の１つに記載の塗装用ローラハンドル。
【請求項５】
前記第１支持部の長さと前記第２支持部の長さの比が約５対３であり、
前記第１支持部の長さと前記第３支持部の長さの比が約５対４である、請求項１〜４の１つに塗装用ローラハンドル。
【請求項６】
取手部と前記取手部に固定されている支持部とを備えた塗装用ローラハンドルであって、
前記支持部が、第１支持部、第２支持部、第３支持部および第４支持部を有し、
前記第１支持部が前記第２支持部と接続され、
前記第２支持部が前記第３支持部と接続され、
前記第３支持部が前記第４支持部と接続され、
前記第４支持部が前記取手部に接続され、
前記第１支持部の長さが前記第３支持部の長さより長く、
前記第３支持部の長さが前記第２支持部の長さより長く、
前記第１支持部の長さと前記第２支持部の長さの比が約５対３であり、
前記第１支持部の長さと前記第３支持部の長さの比が約５対４である、塗装用ローラハンドル。
【請求項７】
前記取手部の一部が空洞である、請求項１〜６の１つに記載の塗装用ローラハンドル。
【請求項８】
前記支持部が第５支持部を有し、
前記第５支持部が前記第４支持部と接続され、
前記第５支持部の少なくとも一部がネジ部であり、前記支持部を回転させることにより前記支持部が前記取手部に固定されている、請求項１〜７の１つに記載の塗装用ローラハンドル。
【請求項９】
前記取手部が樹脂または木製であり、前記支持部が金属である、請求項１〜８の１つに記載の塗装用ローラハンドル。
【請求項１０】
前記支持部が取り付けられている方とは反対側の前記取手部の側面に、貫通孔が設けられている、請求項１〜９の１つに記載の塗装用ローラハンドル。
【請求項１１】
前記貫通孔が、紐を通して前記塗装用ローラハンドルを係止するために利用される、請求項１０に記載の塗装用ローラハンドル。
【請求項１２】
前記塗装用ローラハンドルの重心が前記取手部にある、請求項１〜１１の１つに記載の塗装用ローラハンドル。
【請求項１３】
前記第１支持部と前記第２支持部とがなす角が略直角であり、
前記第２支持部と前記第３支持部とがなす角が鈍角であり、
前記第３支持部と前記第４支持部とがなす角が鈍角である、請求項１〜１２の１つに記載の塗装用ローラハンドル。
【請求項１４】
前記第２支持部と前記第３支持部とがなす角と、前記第３支持部と前記第４支持部とがなす角とが略等しい、請求項１〜１３の１つに記載の塗装用ローラハンドル。
【考案の詳細な説明】
【技術分野】
【０００１】
本考案は、ローラを取り付けることができる塗装用ローラハンドルに関する。
【背景技術】
【０００２】
一般的な塗装用ローラハンドルは、作業者の手で保持するための取手部と、その取手部に固定され、塗料をつけて塗装するためのローラを取り付けることができる支持部からできている。また、特許文献１に示すように、取手部の長手方向において、支持部の長さは、取手部の長さよりも長い。
【先行技術文献】
【特許文献】
【０００３】
【特許文献１】登録実用新案第３１７１８４１号公報（図３）
【考案の概要】
【考案が解決しようとする課題】
【０００４】
特許文献１に示す塗装用ローラハンドルによって細かい箇所を塗装する場合、前記支持部の長さが長いため、ローラと目との距離が長くなり、作業者が前記塗装用ローラハンドルを操作しにくいという課題がある。
【０００５】
本考案は、上記課題に鑑みてなされたものであり、従来の塗装用ローラハンドルに比べて、細かい箇所を塗装する際に、作業者が操作しやすい塗装用ローラハンドルを提供することを目的とする。
【課題を解決するための手段】
【０００６】
本考案に係る塗装用ローラハンドルは、取手部と前記取手部に固定されている支持部とを備えた塗装用ローラハンドルであって、前記支持部が、第１支持部、第２支持部、第３支持部および第４支持部を有し、前記第１支持部が前記第２支持部と接続され、前記第２支持部が前記第３支持部と接続され、前記第３支持部が前記第４支持部と接続され、前記第４支持部が前記取手部に接続され、前記取手部の長手方向における前記支持部の長さは、前記取手部の長手方向の長さより短い。さらに、前記第１支持部の長さが前記第３支持部の長さより長く、前記第３支持部の長さが前記第２支持部の長さより長く、前記第２支持部の長さが前記第４支持部の長さより長くてもよい。
【０００７】
本考案に係る別の塗装用ローラハンドルは、取手部と前記取手部に固定されている支持部とを備えた塗装用ローラハンドルであって、前記支持部が、第１支持部、第２支持部、第３支持部および第４支持部を有し、前記第１支持部が前記第２支持部と接続され、前記第２支持部が前記第３支持部と接続され、前記第３支持部が前記第４支持部と接続され、前記第４支持部が前記取手部に接続され、前記取手部の長手方向の長さが作業者が片手で握れる長さであり、前記取手部の長手方向における前記支持部の長さが、約６〜１１センチメートルである。さらに、前記第１支持部の長さが前記第３支持部の長さより長く、前記第３支持部の長さが前記第２支持部の長さより長く、前記第２支持部の長さが前記第４支持部の長さより長くてもよい。
【０００８】
本考案に係る他の塗装用ローラハンドルは、取手部と前記取手部に固定されている支持部とを備えた塗装用ローラハンドルであって、前記支持部が、第１支持部、第２支持部、第３支持部および第４支持部を有し、前記第１支持部が前記第２支持部と接続され、前記第２支持部が前記第３支持部と接続され、前記第３支持部が前記第４支持部と接続され、前記第４支持部が前記取手部に接続され、前記取手部の長手方向の長さが約８〜１２センチメートであり、前記第１支持部の前記長手方向の長さが、約６〜１１センチメートルである。さらに、前記第１支持部の長さが前記第３支持部の長さより長く、前記第３支持部の長さが前記第２支持部の長さより長く、前記第２支持部の長さが前記第４支持部の長さより長くてもよい。
【０００９】
本考案に係るさらに別の塗装用ローラハンドルは、取手部と前記取手部に固定されている支持部とを備えた塗装用ローラハンドルであって、前記支持部が、第１支持部、第２支持部、第３支持部および第４支持部を有し、前記第１支持部が前記第２支持部と接続され、前記第２支持部が前記第３支持部と接続され、前記第３支持部が前記第４支持部と接続され、前記第４支持部が前記取手部に接続され、前記第１支持部の長さが前記第３支持部の長さより長く、前記第３支持部の長さが前記第２支持部の長さより長く、前記第１支持部の長さと前記第２支持部の長さの比が約５対３であり、前記第１支持部の長さと前記第３支持部の長さの比が約５対４である。さらに、前記第２支持部の長さが前記第４支持部の長さより長くてもよい。
【００１０】
本考案のある実施形態では、前記取手部の一部が空洞であってもよい。
【００１１】
本考案のある実施形態では、前記支持部が第５支持部を有し、前記第５支持部が前記第４支持部と接続され、前記第５支持部の少なくとも一部がネジ部であり、前記支持部を回転させることにより前記支持部が前記取手部に固定されていてもよい。
【００１２】
本考案のある実施形態では、前記取手部が樹脂または木製であり、前記支持部が金属であってもよい。
【００１３】
本考案のある実施形態では、前記支持部が取り付けられている方とは反対側の前記取手部の側面に、貫通孔が備えられていてもよい。
【００１４】
本考案のある実施形態では、前記貫通孔が、紐を通して前記塗装用ローラハンドルを係止するために利用されてもよい。
【００１５】
本考案のある実施形態では、前記塗装用ローラハンドルの重心が、前記取手部にあってもよい。
【００１６】
本考案のある実施形態では、前記第１支持部と前記第２支持部とがなす角が略直角であり、前記第２支持部と前記第３支持部とがなす角が鈍角であり、前記第３支持部と前記第４支持部とがなす角が鈍角であってもよい。
【００１７】
本考案のある実施形態では、前記第２支持部と前記第３支持部とがなす角と、前記第３支持部と前記第４支持部とがなす角とが略等しくてもよい。
【考案の効果】
【００１８】
本考案に係る塗装用ローラハンドルでは、取手部の長手方向における前記支持部の長さが、前記取手部の長手方向の長さより短い。このため、ローラが取り付けられた本考案の塗装用ローラハンドルにて、作業者が塗料を塗る場合、作業者の目の位置と、塗料を塗る対象との距離が短くなり、作業者にとって細かい部分を塗る作業がしやすい。
【００１９】
本考案に係る別の塗装用ローラハンドルでは、前記取手部の長手方向における前記支持部の長さが約６〜１１センチメートルであり、前記取手部の長手方向の長さは作業者が片手で握れる長さである。このため、作業者が本考案に係る塗装用ローラハンドルをバケットに差し込んで持ち運ぶ場合に、狭い場所であっても、その別の塗装用ローラハンドルの全長が、従来のものと比べて短いため、建物などと引っかかる可能性が低く、作業効率が落ちない。また、作業者が塗料を塗る場合、作業者の目の位置と、塗料を塗る対象との距離が短くなり、作業者にとって細かい部分を塗る作業がしやすい。
【００２０】
本考案に係る他の塗装用ローラハンドルでは、前記取手部の長手方向の長さが約８〜１２センチメートであり、前記支持部の前記長手方向の長さが約６〜１１センチメートルである。このため、作業者が本考案に係る他の塗装用ローラハンドルをバケットに差し込んで持ち運ぶ場合、狭い場所であっても、その他の塗装用ローラハンドルの全長が、従来のものと比べて短いため、塗装用ローラハンドルの取手部が建物などと引っかかる可能性が低く、作業効率が落ちない。また、作業者が塗料を塗る場合、作業者の目の位置と、塗料を塗る対象との距離が短くなり、作業者にとって細かい部分を塗る作業がしやすい。
【００２１】
本考案に係るさらに別の塗装用ローラハンドルでは、前記第１支持部の長さと前記第２支持部の長さの比が約５対３であり、前記第１支持部の長さと前記第３支持部の長さの比が約５対４である。前記塗装用ローラハンドルでは、前記第１支持部の長さと前記第２支持部の長さの比が黄金比に近いため、作業者に安定感が与えられる。
【００２２】
前記第５支持部の少なくとも一部がネジ部である場合、支持部と取手部とを別々に製造することができ、前記第５支持部の一部を取手部が覆うように取手部を形成する方法に比べて安価に製造することができる。
【００２３】
前記支持部は金属であってもよい。支持部は、取手部に比べ細く強度を必要とするからである。また、支持部が金属である場合、取手部が、樹脂または木製であってもよい。取手部も支持部と同様に金属であれば、塗装用ローラハンドル全体が重くなり、作業者が作業しにくいからである。
【００２４】
前記支持部が取り付けられている方とは反対側の前記取手部の側面に貫通孔が設けられている場合、その塗装用ローラハンドルを壁などのフックに引っかけることができる。
【００２５】
前記貫通孔に紐を通しリング状にし、それを壁などのフックに引っかけることができる。
【００２６】
前記塗装用ローラハンドルの重心が前記取手部にある場合、作業者にとって塗装の作業がしやすい。
【００２７】
前記第２支持部と前記第３支持部とがなす角が鈍角であり、前記第３支持部と前記第４支持部とがなす角が鈍角である場合、前記第２支持部と前記第３支持部とがなす角が直角であり、前記第３支持部と前記第４支持部とがなす角が直角であるものに比べて、支持部のトータルの長さが短くなり、そのような構成はコストダウンにも寄与する。
【００２８】
前記第２支持部と前記第３支持部とがなす角と、前記第３支持部と前記第４支持部とがなす角とが略等しい場合、それらのなす角の当該部分には均等に力が加わり、どちらかのなす角の当該部分に力が集中しない。
【図面の簡単な説明】
【００２９】
【図１】本考案の第１実施形態における塗装用ローラハンドルの一例を示す外観図である。
【図２】図１に示す塗装用ローラハンドルの正面図である。
【図３】本考案の第２実施形態における塗装用ローラハンドルの一例を示す正面である。
【図４】本考案の第３実施形態における塗装用ローラハンドルの一例を示す正面である。
【考案を実施するための形態】
【００３０】
以下に、図面を参照しながら本考案の一実施形態における、塗装用ローラハンドルについて説明する。
【００３１】
図１は本考案の第１実施形態における塗装用ローラハンドルの一例を示す外観図であり、図２はその正面図である。
【００３２】
図１に示す塗装用ローラハンドル１は、支持部１０と取手部２０を備えている。図２に示すように、支持部１０は、第１支持部１１、第２支持部１２、第３支持部１３、および第４支持部１４を有している。第１支持部１１は第２支持部１２とつながり、第２支持部１２は第３支持部１３とつながり、第３支持部１３は第４支持部１４とつながっている。また、支持部１０は取手部２０と接続されている。
【００３３】
作業者は、第１支持部１１の一端からローラ（図示せず）を取り付けることが可能である。作業者は、塗装用ローラハンドル１に取り付けられたローラをバケットなどに入れられた塗料につけ、ローラを網やバケットの側面でしごくことにより、ローラについている塗料の液量を調整し、目標物にローラを押しつけながら転がすことにより、塗装を行うことができる。
【００３４】
取手部２０の長手方向Ｘにおける支持部１０の長さは、取手部２０の長手方向Ｘの長さより短い。このため、ローラ（図示せず）が取り付けられた塗装用ローラハンドル１にて、作業者が塗料を塗る場合、作業者の目の位置と、塗料を塗る対象との距離が短くなり、作業者にとって細かい部分を塗る作業がしやすい。取手部２０の長手方向Ｘの長さが、作業者が片手で握れる長さであってもよい。ここで、作業者の片手の大きさには個人差があるが、取手部２０の長手方向Ｘの長さは約８〜１２センチメートルであってもよい。塗装用ローラハンドル１では、支持部１０が従来のものより短いため、塗装の際に支持部１０がたわむ量が少なくなり塗装すべき箇所を正確に塗ることができる。
【００３５】
このような支持部１０の構成としては、第１支持部１１の長さが第３支持部１３の長さより長く、第３支持部１３の長さが第２支持部１２の長さより長く、第２支持部１２の長さが第４支持部１４の長さより長くてもよい。
【００３６】
また、第１支持部１１の長さと第２支持部１２の長さの比が約５対３であってもよい。第１支持部１１と第２支持部１２のなす角は略直角であるため、第１支持部１１と第２支持部１２が約５対３の長方形のフレームの一部を構成しており、その長方形の辺の比が黄金比に近いため、塗装用ローラハンドル１は作業者に安定感を与える。
【００３７】
また、第１支持部１１の長さと第２支持部１２の長さの比が約５対３である場合、第１支持部１１の長さと第３支持部１３の長さの比が約５対４であってもよい。３、４、５という比率は、建築の分野でよく知られており、店頭で塗装用ローラハンドル１の購入を作業者に対して惹起しやすいと考える。
【００３８】
また、支持部１０の構成としては、第１支持部１１の長さは約４〜６センチメートルであってもよいし、第２支持部１２の長さは、約２〜４センチメートルであってもよいし、第３支持部１３の長さは、約３〜５センチメートルであってもよいし、第４支持部１４の長さは、約１〜３センチメートルであってもよい。
【００３９】
第２支持部１２と第３支持部１３とがなす角が鈍角であり、第３支持部１３と第４支持部１４とがなす角が鈍角であってもよい。第２支持部１２と第３支持部１３とがなす角が鈍角であり、第３支持部１３と第４支持部１４とがなす角が鈍角である場合、第２支持部と第３支持部とがなす角が直角であり、第３支持部と第４支持部とがなす角が直角であるものに比べて、支持部１０のトータルの長さが短くなり、そのような構成は塗装用ローラハンドル２０１のコストダウンに寄与する。
【００４０】
第２支持部１２と第４支持部１４とが略平行であり、第２支持部１２と第３支持部１３とがなす角と、第３支持部１３と第４支持部１４とがなす角とが略等しくてもよい。第２支持部１２と第３支持部１３とがなす角と、第３支持部１３と第４支持部１４とがなす角とが略等しい場合、それらのなす角の当該部分には均等に力が加わり、どちらかのなす角の当該部分に力が集中しない。
【００４１】
図３は、本考案の第２実施形態における塗装用ローラハンドルの一例を示す正面図である。
【００４２】
図３に示す塗装用ローラハンドル１０１は、支持部１１０と取手部１２０を備えている。図３に示すように、支持部１１０は第１支持部１１１、第２支持部１１２、第３支持部１１３、および第４支持部１１４を有している。第１支持部１１１は第２支持部１１２とつながり、第２支持部１１２は第３支持部１１３とつながり、第３支持部１１３は第４支持部１１４とつながっている。また、支持部１１０は取手部１２０と接続されている。
【００４３】
作業者は、塗装用ローラハンドル１と同様に塗装用ローラハンドル１０１にて塗装を行うことができる。
【００４４】
取手部１２０の長手方向Ｘの長さが、作業者が片手で握れる長さであり、支持部１１０の長手方向Ｘの長さが、約６〜１１センチメートルである。ここで、作業者の片手の大きさには個人差があるが、取手部１２０の長手方向Ｘの長さは約８〜１２センチメートルであってもよい。
【００４５】
支持部１１０の長手方向Ｘの長さは、約６〜１１センチメートルであり、従来のものに比べて短い。このため、ローラ（図示せず）が取り付けられた塗装用ローラハンドル１０１にて、作業者が塗料を塗る場合、作業者の目の位置と、塗料を塗る対象との距離が短くなり、作業者にとって細かい部分を塗る作業がしやすい。
【００４６】
さらに、作業者が塗装用ローラハンドル１０１をバケットに差し込んで持ち運ぶ場合に、狭い場所であっても、取手部１２０の長手方向Ｘにおける塗装用ローラハンドル１０１の長さが、従来のものと比べて短いため、取手部１２０が建物などと引っかかる可能性が低く、塗装の作業効率が落ちない。
【００４７】
特に、細かい箇所を塗装しなければならないような場所では、作業者、塗装用ローラハンドル、およびバケットに対する十分なスペースがない場合が多い。しかし、塗装用ローラハンドル１０１では、取手部１２０の長手方向Ｘにおける塗装用ローラハンドル１０１の長さが、従来のものと比べて短いため、取手部１２０が建物などと引っかかる可能性が低く、塗装の作業効率が落ちない。
【００４８】
このような支持部１１０の構成としては、上述した支持部１０の構成と同様で合ってもよい。
【００４９】
図４は本考案の第３実施形態における塗装用ローラハンドルの一例を示す正面図である。
【００５０】
図４に示す塗装用ローラハンドル２０１は、支持部２１０と取手部２２０を備えている。図４に示すように、支持部２１０は、第１支持部２１１、第２支持部２１２、第３支持部２１３、および第４支持部２１４を有している。第１支持部２１１は第２支持部２１２とつながり、第２支持部２１２は第３支持部２１３とつながり、第３支持部２１３は第４支持部２１４とつながっている。第３実施形態における支持部２１０および取手部２２０は、第１実施形態または第２実施形態における支持部１０、１００および取手部２０、１２０と同様のものであってもよい。作業者は、塗装用ローラハンドル１、１０１と同様に塗装用ローラハンドル２０１にて塗装を行うことができる。
【００５１】
また、支持部２１０は取手部２２０と接続されている。第３実施形態では、支持部２１０が第４支持部２１４とつながっている第５支持部２１５をさらに有し、第５支持部２１５にネジが切られているようなネジ部が設けられていてもよい。第５支持部２１５がネジ部を設けていない場合、第５支持部２１５の周りに、樹脂などを流し込み、取手部２２０を形成しつつ、支持部２１０を取手部２２０に固定する必要がある。しかし、第５支持部２１５にネジ部が設けられている場合、支持部２１０と取手部２２０とを別々に製造し、その後、支持部２１０を取手部２２０に固定することができ、前者の工程に比べ、後者の工程では塗装用ローラハンドル２０１を容易に製造することができる。
【００５２】
取手部２２０を形成する場合に、ネジ部の外径よりも小さい径の穴が形成されていてもよい。予め取手部２２０にネジ部をねじ込むための穴が開けられていると、ネジ部をねじ込んだときに取手部２２０の割れなどを防ぐことができるからである。また、木材のように初めから取手部２２０に穴が開いていない場合、ドリルなどで予め穴が開けられてもよい。なお、この穴は、取手部２２０において支持部２１０が取り付けられる面の中心部にあることが好ましい。支持部２１０から伝わる力をまんべんなく取手部２２０に吸収させるためである。
【００５３】
また、第５支持部２１５にネジを切る代わりに、第５支持部２１５にネジが切られている部材を接続することによりネジ部が設けられてもよい。この接続方法として、第５支持部２１５にネジが切られている部材がかしめにより取り付けられてもよいし、溶接により取り付けられてもよい。
【００５４】
また、図４では、第５支持部２１５の一部が外部に出ているが、第５支持部２１５の全体が取手部２２０に埋まっていてもよい。
【００５５】
また、樹脂などを流し込み、取手部２２０を形成しつつ、支持部２１０を取手部２２０に固定する場合、第５支持部２１５に複数のフィン（図示せず）がついていてもよい。複数のフィン（図示せず）により、支持部２１０が取手部２２０から取れにくくなる。また、それらのヒィン（図示せず）は支持部２１０が回転することを防ぐ。
【００５６】
また、第１および第２実施形態においても、第３実施形態と同様の構成で支持部１０、１１０が取手部２０、１２０と接続されていてもよい。
【００５７】
また、第１〜第３実施形態において、支持部１０、１１０、２１０が金属であってもよい。支持部１０、１１０、２１０は、取手部２０、１２０、２２０に比べ細く強度を必要とするからである。また、支持部１０、１１０、２１０が金属である場合、取手部２０、１２０、２２０が、樹脂または木でできていてもよい。取手部２０、１２０、２２０が支持部１０、１１０、２１０と同様に金属であれば、塗装用ローラハンドル１、１０１、２０１の全体が重くなり、作業者が作業しにくいからである。
【００５８】
取手部２０、１２０、２２０の一部が空洞であってもよい。塗装用ローラハンドル１、１０１、２０１の軽量化などを図るためである。また、この空洞は軽量化などを図るものであり、この空洞に他の取手部を接続するためのネジが切られていなくてもよい。
【００５９】
取手部２０、１２０、２２０において、支持部１０、１１０、２１０が取り付けられている方とは逆の端部に貫通孔２１、１２１が空けられていてもよい。この貫通孔の向きは、第１支持部１１、１１１、２１１と同じ方向であってもよいし、支持部１０、１１０、２１０のなす面の法線方向であってもよい。この貫通孔により、塗装用ローラハンドル１、１０１、２０１を壁などにあるフックに引っかけることができる。また、この貫通孔に紐などが通され、それがリング状になっていてもよい。
【００６０】
また、塗装用ローラハンドル１、１０１、２０１の重心が、取手部２０、１２０、２２０にあることが好ましい。塗装用ローラハンドル１、１０１、２０１の重心が取手部２０、１２０、２２０にある場合、重心が作業者の手の中に位置するため、作業者にとって塗装作業がしやすい。特に、重心の位置としては、取手部２０、１２０、２２０のうち支持部１０、１１０、２１０が接続されている側（以下、Ｙ部分という）にあることが好ましい。作業者によっては、取手部２０、１２０、２２０の平面部分と底面部分（または底面部分と平面部分）を作業者の親指と人差し指で挟み込み、人差し指、薬指、および小指が、人差し指が接している面側を通り、取手部２０、１２０、２２０の裏側において人差し指、薬指、および小指の先が接する。この場合、Ｙ部分が作業者の親指と人差し指で挟み込む部分に該当することがさらに好ましい。塗装用ローラハンドル１、１０１、２０１の操作が主に親指と人差し指で行われるからである。また、第１〜第３実施形態において、上記空洞は、重心位置を調整するために空けられてもよい。同様に、第１〜第３実施形態において、上記貫通孔は、重心位置を調整するために空けられてもよい。
【００６１】
図１〜４に示す取手部２０、１２０、２２０の形状は、面取りされた正四角柱であるが、本考案における取手部の形状はこの形状に限定されない。本考案における取手部の形状は、円柱状であってもよい。また、本考案における取手部の少なくとも一部の断面が、円、楕円、多角形、面取りされた多角形であってもよい。なお、この断面の法線方向は、第４支持部１４、１１４、２１４の方向と略同じである。
【符号の説明】
【００６２】
１、１０１、２０１    塗装用ローラハンドル
１０、１１０、２１０    支持部
１１、１１１、２１１    第１支持部
１２、１１２、２１２    第２支持部
１３、１１３、２１３    第３支持部
１４、１１４、２１４    第４支持部
２１５    第５支持部
２０、１２０、２２０    取手部
２１、１２１            貫通孔
【図１】
0003194800.tif 000003
【図２】
0003194800.tif 000004
【図３】
0003194800.tif 000005
【図４】
0003194800.tif 000006